(57)【特許請求の範囲】
【請求項１】
底板と複数の側板を有し、一方向に開口した、ケースと、
前記ケースの内側底面から凸状に設けられ、前記底板を複数の領域に区画する、底板リブと、
前記ケースの内側側面から凸状に設けられた、複数の側板リブと、
前記底板リブを埋設するように前記ケース内に充填された、封止樹脂と、
少なくとも一方の主面に実装部品が実装された、プリント基板と、
を備え、
前記プリント基板は、前記底板と対向するように前記ケース内に格納されており、前記底板リブの上方における前記封止樹脂の内部に埋め込まれており、
前記プリント基板は、前記ケースの対向する２つの側板のうちの一方の側板の側板リブと、前記２つの側板のうちの他方の側板の側板リブとの間に配置され、前記複数の側板リブのうち少なくとも一つは、前記プリント基板を支持するものではないことを特徴とする電装ユニット。
【請求項２】
前記プリント基板の端部には切り欠き部が設けられており、前記切り欠き部は、前記側板リブと嵌合し、前記プリント基板の前記ケース内における配置方向を規定していることを特徴とする請求項１に記載の電装ユニット。
【請求項３】
前記封止樹脂のＪＩＳ−Ｋ６２５３により測定した２３℃におけるデュロメータＡ硬度は、３０〜６０であることを特徴とする請求項１または２のいずれかに記載の電装ユニット。
【請求項４】
前記ケースはＰＢＴ樹脂からなり、前記封止樹脂は熱硬化性ウレタン樹脂からなることを特徴とする請求項１ないし３のいずれかに記載の電装ユニット。
【請求項５】
前記プリント基板の裏面にはフラックスが塗布され、前記プリント基板と前記封止樹脂との間の接着力が低減されていることを特徴とする請求項１ないし４のいずれかに記載の電装ユニット。
【請求項６】
前記底板リブには、第１の方向に延びる縦リブおよび第２の方向に延びる横リブがあり、複数の前記縦リブと複数の前記横リブが直交していることを特徴とする請求項１ないし５のいずれかに記載の電装ユニット。
【請求項７】
底板と複数の側板を有し、一方向に開口した、ケースと、
前記ケースの内側底面から凸状に設けられ、前記底板を複数の領域に区画する、底板リブと、
前記底板リブを埋設するように前記ケース内に充填された、封止樹脂と、
少なくとも一方の主面に実装部品が実装された、プリント基板と、を備え、
前記プリント基板は、前記底板と対向するように前記ケース内に格納されており、前記底板リブの上方における前記封止樹脂の内部に埋め込まれており、
前記底板リブには、第１の方向に延びる縦リブおよび第２の方向に延びる横リブがあり、
前記縦リブおよび前記横リブは、前記ケースの底板の上方からみて波状に形成されていることを特徴とする電装ユニット。
【請求項８】
底板と複数の側板を有し、一方向に開口した、ケースと、
前記ケースの内側底面から凸状に設けられ、前記底板を複数の領域に区画する、底板リブと、
前記底板リブを埋設するように前記ケース内に充填された、封止樹脂と、
少なくとも一方の主面に実装部品が実装された、プリント基板と、を備え、
前記プリント基板は、前記底板と対向するように前記ケース内に格納されており、前記底板リブの上方における前記封止樹脂の内部に埋め込まれており、
前記底板リブ間の距離は、前記実装部品の実装密度が高い領域ほど短いことを特徴とする電装ユニット。
【請求項９】
実装部品が表面に実装されたプリント基板を、内側底面から凸状に底板リブが設けられ内側側面から凸状に複数の側板リブが設けられたケース内であって前記底板リブよりも高い位置に載置する、載置工程と、
前記底板リブおよび前記プリント基板を埋め込むように溶融した樹脂を注入する、注入工程と、
前記ケース内に注入した樹脂を硬化させる、硬化工程と、
を備え、
前記複数の側板リブのうち少なくとも一つは前記プリント基板を支持するものではなく、前記載置工程では、前記プリント基板を、前記ケースの対向する２つの側板のうちの一方の側板の側板リブと、前記２つの側板のうちの他方の側板の側板リブとの間に配置することを特徴とする電装ユニットの製造方法。
【請求項１０】
内側底面から凸状に底板リブが設けられ内側側面から凸状に複数の側板リブが設けられたケース内に、前記底板リブを埋め込むまで溶融した樹脂を注入する、第１の注入工程と、
実装部品が表面に実装されたプリント基板を、前記ケース内であって前記底板リブよりも高い位置に載置する、載置工程と、
前記プリント基板を埋め込むように溶融した樹脂を注入する、第２の注入工程と、
前記ケース内に注入した樹脂を硬化させる、硬化工程と、
を備え、
前記複数の側板リブのうち少なくとも一つは前記プリント基板を支持するものではなく、前記載置工程では、前記プリント基板を、前記ケースの対向する２つの側板のうちの一方の側板の側板リブと、前記２つの側板のうちの他方の側板の側板リブとの間に配置することを特徴とする電装ユニットの製造方法。
【請求項１１】
前記プリント基板として、前記側板リブと嵌合する切り欠き部が端部に設けられたものを用い、
前記載置工程において、前記プリント基板の前記切り欠き部が前記側板リブと嵌合するように、前記プリント基板を前記ケース内に格納することを特徴とする請求項９または１０に記載の電装ユニットの製造方法。
【発明の詳細な説明】
【技術分野】
【０００１】
本発明は、電装ユニット、特にケース内に格納されたプリント基板を樹脂で埋め込んだ電装ユニット、およびその製造方法に関する。
【背景技術】
【０００２】
エンジン制御を行うＥＣＵ（Ｅｎｇｉｎｅ  Ｃｏｎｔｒｏｌ  Ｕｎｉｔ）などの電装ユニットでは、プリント基板に実装された電子部品等（実装部品）を保護し耐水性・防塵性を向上させるために、ケース内に格納されたプリント基板を樹脂封止している。
【０００３】
このようにケース内のプリント基板を樹脂封止する技術として、特許文献１には、樹脂ケース内にプリント基板が配置された点火制御ユニットにおいて、プリント基板の表面側空間と裏面側空間に封止樹脂を供給する方法が開示されている。
【先行技術文献】
【特許文献】
【０００４】
【特許文献１】特開２００５−２９４７０２号公報
【発明の概要】
【発明が解決しようとする課題】
【０００５】
ところで、従来の電装ユニットにおいてプリント基板はケースにねじ固定されているが、製造コストの観点からは、ねじ固定を廃止することが望ましい。しかし、そうした場合、プリント基板は封止樹脂にのみよってケース内に保持されることになる。このようにプリント基板が封止樹脂のみによって保持された状態において、電装ユニットに振動が加えられると、プリント基板を封止する封止樹脂がケースから剥離してしまうという問題があった。また、温度変化の際にも、封止樹脂が収縮することで封止樹脂がケースから剥離するおそれがある。特に電装ユニットを縦置きに設置して使用する場合には、封止樹脂がケースから剥離することでプリント基板がケースから出てしまうことが考えられる。
【０００６】
そこで、本発明は、振動が加わった場合や温度が変化した場合に、プリント基板を封止する封止樹脂がケースから剥離することを防止するとともに、実装部品へのダメージを低減することが可能な電装ユニットおよびその製造方法を提供することを目的とする。
【課題を解決するための手段】
【０００７】
本発明の一態様に係る電装ユニットは、
底板と複数の側板を有し、一方向に開口した、ケースと、
前記ケースの内側底面から凸状に設けられ、前記底板を複数の領域に区画する、底板リブと、
前記底板リブを埋設するように前記ケース内に充填された、封止樹脂と、
少なくとも一方の主面に実装部品が実装され、前記底板と対向するように前記ケース内に格納され、かつ、前記底板リブの上方における前記封止樹脂の内部に埋め込まれた、プリント基板と、
を備えることを特徴とする。
【０００８】
また、前記電装ユニットにおいて、
前記ケースの内側側面から凸状に設けられた側板リブをさらに備え、前記プリント基板は、前記ケースの対向する２つの側板のうちの一方の側板の側板リブと、前記２つの側板のうちの他方の側板の側板リブとの間に配置されていてもよい。
【０００９】
また、前記電装ユニットにおいて、
前記プリント基板の端部には切り欠き部が設けられており、前記切り欠き部は、前記側板リブと嵌合し、前記プリント基板の前記ケース内における配置方向を規定していてもよい。
【００１０】
また、前記電装ユニットにおいて、
前記側板リブは、前記ケースの内側側面から凸状に設けられるとともに前記底板に接する下部側板リブと、前記ケースの内側側面から凸状に設けられるとともに前記下部側板リブと接続し且つ前記側板からの高さが前記下部側板リブよりも低い上部側板リブとを有し、前記プリント基板は、前記ケースの対向する側板の前記上部側板リブ間に配置されるとともに、前記下部側板リブと前記上部側板リブとの間の段差の上に載置されていてもよい。
【００１１】
また、前記電装ユニットにおいて、
前記封止樹脂のＪＩＳ−Ｋ６２５３により測定した２３℃におけるデュロメータＡ硬度は、３０〜６０でもよい。
【００１２】
また、前記電装ユニットにおいて、
前記ケースはＰＢＴ樹脂からなり、前記封止樹脂は熱硬化性ウレタン樹脂からなるものであってもよい。
【００１３】
また、前記電装ユニットにおいて、
前記プリント基板の裏面にはフラックスが塗布され、前記プリント基板と前記封止樹脂との間の接着力が低減されていてもよい。
【００１４】
また、前記電装ユニットにおいて、
前記底板リブには、第１の方向に延びる縦リブおよび第２の方向に延びる横リブがあり、複数の前記縦リブと複数の前記横リブが直交していてもよい。
【００１５】
また、前記電装ユニットにおいて、
前記縦リブおよび前記横リブは、前記ケースの底板の上方からみて波状に形成されていてもよい。
【００１６】
また、前記電装ユニットにおいて、
前記底板リブ間の距離は、前記実装部品の実装密度が高い領域ほど短くなるようにしてもよい。
【００１７】
本発明の第１の態様に係る電装ユニットの製造方法は、
実装部品が表面に実装されたプリント基板を、内側底面から凸状に底板リブが設けられたケース内であって前記底板リブよりも高い位置に載置する、載置工程と、
前記底板リブおよび前記プリント基板を埋め込むように溶融した樹脂を注入する、注入工程と、
前記ケース内に注入した樹脂を硬化させる、硬化工程と、
を備えることを特徴とする。
【００１８】
本発明の第２の態様に係る電装ユニットの製造方法は、
内側底面から凸状に底板リブが設けられたケース内に、前記底板リブを埋め込むまで溶融した樹脂を注入する、第１の注入工程と、
実装部品が表面に実装されたプリント基板を、前記ケース内であって前記底板リブよりも高い位置に載置する、載置工程と、
前記プリント基板を埋め込むように溶融した樹脂を注入する、第２の注入工程と、
前記ケース内に注入した樹脂を硬化させる、硬化工程と、
を備えることを特徴とする。
【００１９】
また、前記電装ユニットの製造方法において、
前記ケースは、内側側面から凸状に設けられた側板リブをさらに備え、前記プリント基板として、前記側板リブと嵌合する切り欠き部が端部に設けられたものを用い、
前記載置工程において、前記プリント基板が前記ケースの対向する側板の前記側板リブ間に配置され且つ前記プリント基板の前記切り欠き部が前記側板リブと嵌合するように、前記プリント基板を前記ケース内に格納してもよい。
【発明の効果】
【００２０】
本発明の一態様に係る電装ユニットにおいては、ケースに底板リブが設けられていることにより、ケースと封止樹脂との接触面積が増大し、両者の間の接着強度が向上する。その結果、本発明によれば、電装ユニットに振動が加わった場合でも、封止樹脂がケースから剥離することを防止できる。
【００２１】
さらに、本発明によれば、封止樹脂が底板リブにより複数のブロックに区切られることで、温度変化時における封止樹脂の膨張または収縮により発生する応力の伝播・拡大を抑制し、ケースおよびプリント基板に加わる応力負荷を低減することができる。その結果、温度変化の際、ケースと封止樹脂との間の接着力を維持し封止樹脂の剥離を抑制するとともに、プリント基板の実装部品へのダメージを低減できる。
【００２２】
また、プリント基板をケースにねじ固定する必要がないため、製造コストを削減することができる。
【図面の簡単な説明】
【００２３】
【図１】本発明の一実施形態に係る電装ユニットの斜視図である。
【図２】一実施形態に係る電装ユニット用のケースの斜視図である。
【図３】図１のＡ−Ａ線に沿う端面説明図である。
【図４】熱応力シミュレーション結果を示すグラフである。
【図５】リブが２０本設けられた電装ユニット用のケースの斜視図である。
【図６】第１の変形例に係る電装ユニットの端面説明図である。
【図７】第２の変形例に係る電装ユニット用のケースの斜視図である。
【図８】第３の変形例に係る電装ユニット用のケースの斜視図である。
【発明を実施するための形態】
【００２４】
以下、図面を参照しつつ本発明の実施形態について説明する。なお、各図において同等の機能を有する構成要素には同一の符号を付し、同一符号の構成要素の詳しい説明は繰り返さない。
【００２５】
（電装ユニット）
本発明の一実施形態に係る電装ユニットの構成について、図１〜図３を用いて説明する。図１は、本発明の一実施形態に係る電装ユニット１の斜視図を示している。図２は、電装ユニット１に使用されるケース１０の斜視図である。図３は、図１のＡ−Ａ線に沿う端面説明図である。
【００２６】
電装ユニット１は、ケース１０と、実装部品３１が実装され、ケース１０内に格納されたプリント基板３０と、このプリント基板３０を埋設する封止樹脂２０と、を備える。
【００２７】
ケース１０は、図２に示すように、四角形の底板１１と、４つの側板１２とを有し、一方向に開口している。ケース１０の内側には、複数の底板リブ１３、側板リブ１４、および台座１５が凸設されている。なお、ケース１０は、例えば樹脂成形により作製され、好ましくは軽量かつ低コストなＰＢＴ（ポリブチレンテレフタレート）樹脂からなる。
【００２８】
底板リブ１３は、ケース１０の内側底面から凸状に設けられ、底板１１を複数の領域に区画する。なお、本発明においては、底板リブ１３のように線状のものとして連続的に形成されたリブだけでなく、不連続的に形成された底板リブ（例えば一部に切り欠きが設けられたもの）についても、「底板を複数の領域に区画する」というものとする。
【００２９】
また、底板リブ１３には、第１の方向に延びる縦リブ１３ａ、および第２の方向に延びる横リブ１３ｂがある。図２に示すように、５本の縦リブ１３ａと４本の横リブ１３ｂが直交し網目模様を形成しており、この場合、底板１１は３０個（＝６×５）個の領域に区画される。
【００３０】
側板リブ１４は、図２に示すように、ケース１０の内側側面から凸状に設けられている。なお、本実施形態において側板リブ１４は側板１２の上端まで設けられているが、これに限らない。即ち、ケース１０内に格納されたプリント基板３０よりも上側まで設けられていればよく、側板１２の上端まで設けられていなくてもよい。
【００３１】
台座１５は、底板１１の四隅に４つ設けられている。底板１１からの台座１５の高さは底板リブ１３よりも高く、台座１５の上にプリント基板３０が載置される。
【００３２】
封止樹脂２０は、例えば、ケース１０の材料であるＰＢＴ樹脂との接合力が強い熱硬化性ウレタン樹脂であり、この封止樹脂２０は底板リブ１３を埋設するようにケース１０内に充填されている。なお、封止樹脂２０としては比較的柔らかいものが好ましく、具体的には、ＪＩＳ−Ｋ６２５３により測定した２３℃におけるデュロメータＡ硬度が３０〜６０の範囲内であることが好ましい。これにより封止樹脂２０の内部に埋め込まれたプリント基板３０は、封止樹脂２０に保持されるとともに振動が印加された際には適度に動くことができるため、電装ユニット１の耐振動性を向上させることができる。
【００３３】
プリント基板３０は、ケース１０の台座１５の上に載置されるとともに、ケース１０の対向する２つの側板１４，１４のうちの一方の側板の側板リブと、他方の側板の側板リブとの間に配置されている。即ち、プリント基板３０は、側板リブ１４により概略位置決めされた状態で格納されている。
【００３４】
また、プリント基板３０は、図３に示すように、表面に実装部品３１が実装され、裏面が底板１１と対向するようにケース１０内に格納され、かつ底板リブ１３の上方における封止樹脂２０の内部に埋め込まれている。
【００３５】
なお、プリント基板３０の端部には切り欠き部（図示せず）が設けられ、この切り欠き部が側板リブ１４と嵌合しプリント基板３０のケース１０内における配置方向を規定するようにしてもよい。
【００３６】
上記のように、本実施形態では、ケース１０に底板リブ１３が設けられていることにより、ケース１０と封止樹脂２０との接触面積が増大し、両者の間の接着強度が向上する。その結果、本実施形態によれば、電装ユニットに振動が加わった場合でも、封止樹脂２０がケース１０から剥離することを防止することができる。
【００３７】
また、側板リブ１４を設けることにより、封止樹脂２０とケース１０との間の接着力をさらに増大させ、封止樹脂２０の剥離をさらに抑制することができる。
【００３８】
さらに、本実施形態では、封止樹脂２０が底板リブ１３により複数のブロックに区切られる。これにより、温度変化時に封止樹脂２０が膨張または収縮することにより発生する応力の伝播・拡大が抑制され、封止樹脂２０の単位面積あたりの応力が低減する。このため、温度変化の際にケース１０およびプリント基板３０に加わる応力負荷が低減され、その結果、ケースと封止樹脂との間の接着力を維持し、封止樹脂の剥離を抑制するとともに、実装部品３１へのダメージを低減できる。
【００３９】
ここで、電装ユニットに対し熱応力シミュレーションを行った結果について、図４を用いて説明する。図４は、周囲温度を２５℃から１００℃に上昇させたときのプリント基板およびケースに加わる応力の最大値をそれぞれ示している。また、応力の最大値は、３つの場合、即ち、リブが無い場合（従来）、９本のリブを設けた場合（図２に示すケース１０の場合）、および２０本のリブを設けた場合（図５に示すケース１０Ａの場合）についてそれぞれ示している。
【００４０】
図４に示すように、プリント基板に加わる応力（基板応力）およびケースに加わる応力（ケース応力）ともに、リブが無い場合に比べてリブが有る場合の方が小さい。また、リブの本数が多い方が、応力が低減されることがわかる。これは、リブの数が多いほど、リブで区切られた封止樹脂のブロックの容積が小さくなり、応力集中が回避されるためである。
【００４１】
上記のように、本実施形態ではケースの内面にリブを凸設することで、振動印加時および温度変化時に封止樹脂がケースから剥離することを防止できる。このように本実施形態によれば、プリント基板３０をケース１０にねじ固定する必要がないため、製造コストを削減することができる。その他、リブによりケースの剛性が向上するという効果も得られる。
【００４２】
また、本実施形態においてプリント基板３０は、底板リブ１３の上方における封止樹脂２０の内部に埋め込まれた状態にあり、封止樹脂２０の内部で適度に動くことが可能である。このため、プリント基板３０に加わる応力負荷が分散され、電装ユニットの振動および温度変化に対する耐性をさらに向上させることができる。なお、この作用効果の観点から、プリント基板３０の裏面にはフラックスなど封止樹脂２０との接着力が弱い材料が塗布されていることが好ましい。これにより、プリント基板３０と封止樹脂２０との間の接着力が低減され、プリント基板３０に対する応力をさらに回避しやすくなる。
【００４３】
次に本実施形態の変形例について説明する。以下の変形例によっても上記実施形態と同様の作用効果を得ることができる。
【００４４】
（第１の変形例）
図６は、本変形例に係るケース１０Ｂを用いた電装ユニットの端面説明図である。図６に示すように、ケース１０Ｂの側板リブ１４は、ケース１０Ｂの内側側面から凸状に設けられるとともに底板１１に接する下部側板リブ１４Ｂと、ケース１０Ｂの内側側面から凸状に設けられるとともに下部側板リブ１４Ｂと接続し且つ下部側板リブ１４Ｂよりも側板１２からの高さが低い上部側板リブ１４Ａと、を有する。上部側板リブ１４Ａの高さは前述の側板リブ１４の高さと同じであり、下部側板リブ１４Ｂの高さは側板リブ１４の高さよりも高い。そして、プリント基板３０は、ケース１０Ｂの対向する側板１２，１２の上部側板リブ１４Ａ間に配置されるとともに、下部側板リブ１４Ｂと上部側板リブ１４Ａとの間の段差Ｓの上に載置されている。
【００４５】
上記のように本変形例では、前述の台座１５に代えて側板リブ１４に段差Ｓを設け、この段差Ｓの上にプリント基板３０が載置される。
【００４６】
本変形例によれば、側板リブと封止樹脂との接触面積が増えるため、ケースと封止樹脂間の接着強度をさらに向上させることができる。また、ケース側面の剛性を高めることもできる。
【００４７】
（第２の変形例）
図７は、本変形例に係るケース１０Ｃの斜視図である。図７に示すように、ケース１０Ｃの縦リブ１３ａおよび横リブ１３ｂは、ケース１０Ｃの底板１１の上方からみて波状に形成されている。
【００４８】
本変形例によれば、底板リブの長さが前述の直線状の底板リブよりも長くなるため、ケースと封止樹脂との接着力をさらに向上させることができる。
【００４９】
（第３の変形例）
図８は、本変形例に係るケース１０Ｄの斜視図である。図８に示すように、横リブ１３ｂは、プリント基板３０の実装密度の高い領域ではリブ間ピッチが小さくなるように不均等に配置されている。即ち、本変形例では、底板リブ１３間の距離を、プリント基板３０の実装部品の実装密度が高い領域ほど短くしている。図４の熱応力シミュレーションの結果からわかるように、応力負荷の低減効果は、リブ間の間隔（ピッチ）が小さいほど大きくなる傾向にある。よって、本変形例によれば、実装部品が密集している領域のリブ間ピッチを小さくすることで、より効果的に実装部品へのダメージを低減することができる。
【００５０】
次に、上記の電装ユニットを製造する方法について説明する。
【００５１】
（電装ユニットの製造方法）
（１）まず、実装部品３１が表面に実装されたプリント基板３０を、内側底面から凸状に底板リブ１３が設けられたケース１０内の台座１５の上に載置する（載置工程）。より具体的には、ケース１０の対向する側板１２，１２の側板リブ１４，１４間に配置されるように、プリント基板３０を台座１５の上に載置する。
なお、図６で説明したケース１０Ｂの場合には、側板リブ１４の段差Ｓの上にプリント基板３０を載置する。
【００５２】
また、プリント基板３０として、側板リブ１４と嵌合する切り欠き部（図示せず）が端部に設けられたものを用い、載置工程において、プリント基板３０の切り欠き部を側板リブ１４と嵌合させつつ、プリント基板３０を台座１５の上に載置するようにしてもよい。これにより、プリント基板３０を誤った方向に格納することを防止できる。
【００５３】
また、ケース１０として、側板リブ１４が、内側側面から凸状に設けられるとともに底板１１に接する下部側板リブ１４Ｂと、内側側面から凸状に設けられるとともに下部側板リブ１４Ｂと接続し且つ側板１２からの高さが下部側板リブ１４Ｂよりも低い上部側板リブ１４Ａと、を有するものを用い、載置工程において、プリント基板３０を、ケース１０の対向する側板１２，１２の上部側板リブ１４Ａ，１４Ａ間に配置するとともに下部側板リブ１４Ｂと上部側板リブ１４Ａとの間の段差Ｓの上に載置するようにしてもよい。
【００５４】
（２）次に、図３に示すように、底板リブ１３およびプリント基板３０を埋め込むように溶融した樹脂を注入する（注入工程）。
ケース１０がＰＢＴ樹脂製の場合、ケースに注入する樹脂としては、ＰＢＴ樹脂との接着力が大きい熱硬化性ウレタン樹脂を用いることが好ましい。また、ケースに注入する樹脂として、後述の硬化工程の後に、ＪＩＳ−Ｋ６２５３により測定した２３℃におけるデュロメータＡ硬度が３０〜６０となる樹脂を使用することが好ましい。
【００５５】
（３）次に、ケース１０内に注入した樹脂を硬化させる（硬化工程）。具体的には、熱硬化性樹脂を加熱して硬化させる。
【００５６】
上記工程を経て図１に示す電装ユニット１が作製される。
【００５７】
なお、上記製造方法では樹脂を一括して注入したが、第１の注入工程と第２の注入工程の２回に分割して注入してもよい。その場合の製造工程は次の通りである。
（１）まず、内側底面から凸状に底板リブ１３が設けられたケース１０内に、底板リブ１３を埋め込むまで溶融した樹脂を注入する（第１の注入工程）。
（２）次に、実装部品３１が表面に実装されたプリント基板３０を、ケース１０内に設けられた台座１５の上に載置する（載置工程）。
（３）次に、図３に示すように、プリント基板３０を埋め込むように溶融した樹脂を注入する（第２の注入工程）。本工程で用いる樹脂としては、第１の注入工程で用いた樹脂と同じ樹脂を使用可能である。
（４）次に、ケース１０内に注入した樹脂を硬化させる（硬化工程）。具体的には、熱硬化性樹脂を加熱して硬化させる。
【００５８】
このように、樹脂を分割注入する方法によれば、樹脂の注入状況を目視確認できるため、底板リブの高さが高い場合であっても樹脂を確実に底板リブで区画された領域に充填することができ、封止樹脂２０内に気泡が混入することを防止できる。
【００５９】
以上、本発明に係る電装ユニットおよびその製造方法について説明した。上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【００６０】
１  電装ユニット
１０，１０Ａ，１０Ｂ，１０Ｃ，１０Ｄ  ケース
１１  底板
１２  側板
１３  底板リブ
１３ａ  縦リブ
１３ｂ  横リブ
１４  側板リブ
１４Ａ  上部側板リブ
１４Ｂ  下部側板リブ
１５  台座
２０  封止樹脂
３０  プリント基板
３１  実装部品
Ｓ  段差
【図１】
0005826619.tif 000002
【図２】
0005826619.tif 000003
【図３】
0005826619.tif 000004
【図４】
0005826619.tif 000005
【図５】
0005826619.tif 000006
【図６】
0005826619.tif 000007
【図７】
0005826619.tif 000008
【図８】
0005826619.tif 000009